(57)【要約】【課題】寝心地や座り心地の悪化を回避することが可能であり、また、既存の身体支持装置への後付けが可能な監視装置を得る。【解決手段】監視装置４は、ベッド１上の被監視者１００に向けて電波を送信する送信部１０と、電波の反射波を受信する受信部１１と、送信部１０から送信された送信電波Ｓ１に対する、受診部１１によって受信された受信電波Ｓ２の遅延時間ごとに、受信電波Ｓ２の信号強度の時間変動を検出する検出部１２と、検出部１２による検出結果に基づいて、被監視者１００の状態を判定する状態判定部１３とを備える。【選択図】図２
2011110068.tif 000002
【特許請求の範囲】
【請求項１】
身体支持装置に取り付けられる監視装置であって、
前記身体支持装置上の被監視者に向けて電波を送信する送信手段と、
前記電波の反射波を受信する受信手段と、
前記送信手段から送信された送信電波に対する、前記受信手段によって受信された受信電波の遅延時間ごとに、前記受信電波の信号強度の時間変動を検出する検出手段と、
前記検出手段による検出結果に基づいて、前記被監視者の状態を判定する第１の判定手段と
を備える、監視装置。
【請求項２】
前記第１の判定手段は、前記被監視者の前記状態として、睡眠状態及び無動作状態の少なくとも一方を判定する、請求項１に記載の監視装置。
【請求項３】
前記第１の判定手段は、前記検出手段によって検出された前記受信電波の信号強度と、前記遅延時間ごとに設定された所定のしきい値との比較により、前記被監視者の前記状態を判定する、請求項１又は２に記載の監視装置。
【請求項４】
前記被監視者の前記状態ごとの信号強度の時間変動のパターンを記憶する記憶手段をさらに備え、
前記第１の判定手段は、前記検出手段によって検出された前記受信電波の信号強度の時間変動のパターンと、前記記憶手段に記憶されている前記信号強度の時間変動のパターンとを照合することにより、前記被監視者の前記状態を判定する、請求項１又は２に記載の監視装置。
【請求項５】
前記第１の判定手段によって判定された前記被監視者の前記状態が異常であるか否かを判定する第２の判定手段と、
前記第２の判定手段によって前記被監視者の前記状態が異常であると判定された場合に、異常の発生を報知する報知手段と
をさらに備える、請求項１〜４のいずれか一つに記載の監視装置。
【請求項６】
前記第１の判定手段によって判定された前記被監視者の前記状態が異常であるか否かを判定する第２の判定手段と、
前記第２の判定手段によって前記被監視者の前記状態が異常であると判定された場合に、異常の発生を通知するための異常通知信号を外部の受信端末に向けて送信する通信手段と
をさらに備える、請求項１〜５のいずれか一つに記載の監視装置。
【請求項７】
身体支持装置本体と、
前記身体支持装置本体に取り付けられた監視装置と
を備え、
前記監視装置は、
前記身体支持装置上の被監視者に向けて電波を送信する送信手段と、
前記電波の反射波を受信する受信手段と、
前記送信手段から送信された送信電波に対する、前記受信手段によって受信された受信電波の遅延時間ごとに、前記受信電波の信号強度の時間変動を検出する検出手段と、
前記検出手段による検出結果に基づいて、前記被監視者の状態を判定する判定手段と
を有する、身体支持装置。
【発明の詳細な説明】
【技術分野】
【０００１】
本発明は、監視装置に関し、特に、身体支持装置上に横臥している被監視者における異常の発生の有無を監視する監視装置に関する。さらに本発明は、当該監視装置を備えた身体支持装置に関する。
【背景技術】
【０００２】
例えば下記特許文献１には、低反発性ウレタン層を有するベッドパットの下面に感圧センサを敷設し、ベッド上に横臥している人体の心拍や呼吸に伴う体動を、当該感圧センサによって検知する技術が開示されている。
【先行技術文献】
【特許文献】
【０００３】
【特許文献１】特許第４１２２２６５号公報
【発明の概要】
【発明が解決しようとする課題】
【０００４】
上記特許文献１に開示された技術によると、被監視者がベッド上に横臥している状態で呼吸停止等の異常が発生した場合に、感圧センサによって当該異常の発生を検知することが可能である。しかしながら、ベッドパッドの下面に感圧センサを敷設する必要があるため、寝心地が悪化するという問題がある。また、上記特許文献１に開示された装置は既存のベッドに後付けをすることが困難であるため、当該装置を導入する場合には、当該装置が搭載されたベッドを新たに購入して、それまで使用していた既存のベッドを撤去しなければならない。そのため、導入コストが増大するとともに、導入作業が煩雑であるという問題もある。
【０００５】
本発明はかかる問題を解決するために成されたものであり、感圧センサの敷設を不要とすることにより寝心地や座り心地の悪化を回避することが可能であり、また、既存の身体支持装置への後付けが可能な、監視装置及び当該監視装置を備えた身体支持装置を得ることを目的とするものである。
【課題を解決するための手段】
【０００６】
本発明の第１の態様に係る監視装置は、身体支持装置に取り付けられる監視装置であって、前記身体支持装置上の被監視者に向けて電波を送信する送信手段と、前記電波の反射波を受信する受信手段と、前記送信手段から送信された送信電波に対する、前記受信手段によって受信された受信電波の遅延時間ごとに、前記受信電波の信号強度の時間変動を検出する検出手段と、前記検出手段による検出結果に基づいて、前記被監視者の状態を判定する第１の判定手段とを備えることを特徴とするものである。
【０００７】
ここで、身体支持装置には、被監視者の身体（特に背面）を支える機能を有する家具（例えばベッドや椅子）等が含まれる。
【０００８】
第１の態様に係る監視装置によれば、検出手段は、送信手段から送信された送信電波に対する、受信手段によって受信された受信電波の遅延時間ごとに、受信電波の信号強度の時間変動を検出する。そして、第１の判定手段は、検出手段による検出結果に基づいて、被監視者の状態を判定する。このように、非接触かつ高精度に検出及び判定を行えることから、ベッドパットの下面や椅子の背もたれへの感圧センサの敷設が不要となるため、寝心地や座り心地の悪化を回避することが可能となる。また、本監視装置は既存の身体支持
装置への後付けが可能であるため、導入コストを低減できるとともに、導入作業の煩雑さを解消することができる。
【０００９】
本発明の第２の態様に係る監視装置は、第１の態様に係る監視装置において特に、前記第１の判定手段は、前記被監視者の前記状態として、睡眠状態及び無動作状態の少なくとも一方を判定することを特徴とするものである。
【００１０】
第２の態様に係る監視装置によれば、第１の判定手段は、被監視者の状態として、睡眠状態及び無動作状態の少なくとも一方を判定する。睡眠状態を検知することにより、睡眠時間の管理や、睡眠中の異常発生の検出を行うことができる。また、無動作状態（無呼吸状態を含む）を検知することにより、重大な異常の発生を検出することができる。
【００１１】
本発明の第３の態様に係る監視装置は、第１又は第２の態様に係る監視装置において特に、前記第１の判定手段は、前記検出手段によって検出された前記受信電波の信号強度と、前記遅延時間ごとに設定された所定のしきい値との比較により、前記被監視者の前記状態を判定することを特徴とするものである。
【００１２】
第３の態様に係る監視装置によれば、第１の判定手段は、検出手段によって検出された受信電波の信号強度と、遅延時間ごとに設定された所定のしきい値との比較により、被監視者の状態を判定する。従って、しきい値との比較という簡易な手法によって、被監視者の状態を判定することが可能となる。しかも、しきい値は遅延時間ごとに設定されている。遅延時間が小さい場合には、監視装置の設置場所との距離が近く、被監視者の動きに起因する受信電波の信号強度の変動が大きいため、しきい値を大きく設定し、逆に、遅延時間が大きい場合には、監視装置の設置場所との距離が遠く、被監視者の動きに起因する受信電波の信号強度の変動が小さいため、しきい値を小さく設定する。これにより、ベッド本体の厚みやマットレスの厚みが異なる様々なベッドを対象として、あるいは背もたれの厚みが異なる様々な椅子を対象として、被監視者の状態を適切に判定することが可能となる。
【００１３】
本発明の第４の態様に係る監視装置は、第１又は第２の態様に係る監視装置において特に、前記被監視者の前記状態ごとの信号強度の時間変動のパターンを記憶する記憶手段をさらに備え、前記第１の判定手段は、前記検出手段によって検出された前記受信電波の信号強度の時間変動のパターンと、前記記憶手段に記憶されている前記信号強度の時間変動のパターンとを照合することにより、前記被監視者の前記状態を判定することを特徴とするものである。
【００１４】
第４の態様に係る監視装置によれば、記憶手段には、被監視者の状態ごとの信号強度の時間変動のパターンが記憶されている。そして、第１の判定手段は、検出手段によって検出された受信電波の信号強度の時間変動のパターンと、記憶手段に記憶されている信号強度の時間変動のパターンとを照合することにより、被監視者の状態を判定する。このようにパターンマッチングを行うことによって、被監視者の状態を詳細に判定することが可能となる。
【００１５】
本発明の第５の態様に係る監視装置は、第１〜第４のいずれか一つの態様に係る監視装置において特に、前記第１の判定手段によって判定された前記被監視者の前記状態が異常であるか否かを判定する第２の判定手段と、前記第２の判定手段によって前記被監視者の前記状態が異常であると判定された場合に、異常の発生を報知する報知手段とをさらに備えることを特徴とするものである。
【００１６】
第５の態様に係る監視装置によれば、第２の判定手段は、第１の判定手段によって判定
された被監視者の状態が異常であるか否かを判定する。そして、報知手段は、第２の判定手段によって被監視者の状態が異常であると判定された場合に、異常の発生を報知する。スピーカからアラーム音を出力する等して異常の発生を報知することにより、被監視者に異常が発生していることを同居の家族等に報知することが可能となる。
【００１７】
本発明の第６の態様に係る監視装置は、第１〜第５のいずれか一つの態様に係る監視装置において特に、前記第１の判定手段によって判定された前記被監視者の前記状態が異常であるか否かを判定する第２の判定手段と、前記第２の判定手段によって前記被監視者の前記状態が異常であると判定された場合に、異常の発生を通知するための異常通知信号を外部の受信端末に向けて送信する通信手段とをさらに備えることを特徴とするものである。
【００１８】
第６の態様に係る監視装置によれば、第２の判定手段は、第１の判定手段によって判定された被監視者の状態が異常であるか否かを判定する。そして、通信手段は、第２の判定手段によって被監視者の状態が異常であると判定された場合に、異常の発生を通知するための異常通知信号を外部の受信端末に向けて送信する。従って、被監視者に異常が発生していることを、受信端末を保持している別居の家族や契約セキュリティ会社等に通知することが可能となる。
【００１９】
本発明の第７の態様に係る身体支持装置は、身体支持装置本体と、前記身体支持装置本体に取り付けられた監視装置とを備え、前記監視装置は、前記身体支持装置上の被監視者に向けて電波を送信する送信手段と、前記電波の反射波を受信する受信手段と、前記送信手段から送信された送信電波に対する、前記受信手段によって受信された受信電波の遅延時間ごとに、前記受信電波の信号強度の時間変動を検出する検出手段と、前記検出手段による検出結果に基づいて、前記被監視者の状態を判定する判定手段とを有することを特徴とするものである。
【００２０】
第７の態様に係る身体支持装置によれば、検出手段は、送信手段から送信された送信電波に対する、受信手段によって受信された受信電波の遅延時間ごとに、受信電波の信号強度の時間変動を検出する。そして、判定手段は、検出手段による検出結果に基づいて、被監視者の状態を判定する。このように、非接触かつ高精度に検出及び判定を行えることから、ベッドパットの下面や椅子の背もたれへの感圧センサの敷設が不要となるため、寝心地や座り心地の悪化を回避することが可能となる。
【発明の効果】
【００２１】
本発明によれば、感圧センサの敷設が不要となるため、寝心地や座り心地の悪化を回避することが可能であり、また、既存の身体支持装置への後付けが可能な監視装置を得ることができる。
【図面の簡単な説明】
【００２２】
【図１】本発明の実施の形態に係る監視装置の設置状況を示す図である。
【図２】監視装置の機能構成を示すブロック図である。
【図３】信号強度の時間変動を表す波形の一例を示す図である。
【図４】信号強度の時間変動を表す波形の一例を示す図である。
【図５】監視装置の他の機能構成を示すブロック図である。
【発明を実施するための形態】
【００２３】
以下、本発明の実施の形態について、図面を用いて詳細に説明する。なお、異なる図面において同一の符号を付した要素は、同一又は相応する要素を示すものとする。
【００２４】
図１は、本発明の実施の形態に係る監視装置４の設置状況を示す図である。監視装置４は、要介護老人等の被監視者１００が使用するベッド１に取り付けられている。ベッド１は、ベッド本体２と、その上に敷設されたマットレス３とを有している。監視装置４は、ベッド本体２の底面に取り付けられており、望ましくは、被監視者１００がベッド１上に横臥した際に被監視者１００の胸部の直下に位置する箇所に、監視装置４は取り付けられる。図１の（Ａ）には、ベッド本体２及びマットレス３が薄いタイプのベッド１を示しており、図１の（Ｂ）には、ベッド本体２及びマットレス３が厚いタイプのベッド１を示している。
【００２５】
監視装置４は、その設置箇所からベッド１上の被監視者１００に向けて電波を送信する送信アンテナ５Ｔと、当該電波の反射波を受信する受信アンテナ５Ｒとが、共通の筐体の外面に取り付けられた外観構造を有している。送信電波としては、例えば、中心周波数が数ＧＨｚ（例えば３．９ＧＨｚ）で帯域幅が１００ＭＨｚ以上（例えば１ＧＨｚ）の超広帯域マイクロ波を使用する。監視装置４は、ベッド１上における被監視者１００の体動に起因する電波状態の変化を、反射波の電力遅延プロファイルによって測定することにより、被監視者１００の状態を検出し、それによって被監視者１００における異常の発生の有無を監視する。
【００２６】
図２は、監視装置４の機能構成を示すブロック図である。図２の接続関係で示すように、監視装置４は、送信部１０、受信部１１、検出部１２、状態判定部１３、異常判定部１４、報知部１５、及び記憶部１６，１７を備えて構成されている。
【００２７】
送信部１０は、上記の超広帯域マイクロ波を使用した送信電波Ｓ１を、送信アンテナ５Ｔから送信する。受信部１１は、受信アンテナ５Ｒによって受信された送信電波Ｓ１の反射波である受信電波Ｓ２を、微小時間間隔でサンプリングする。受信部１１によってサンプリングされた受信電波Ｓ２の波形は、信号Ｓ３として検出部１２に入力される。
【００２８】
検出部１２は、信号Ｓ３に基づいて、送信電波Ｓ１に対する受信電波Ｓ２の遅延時間ごとに、受信電波Ｓ２の信号強度（例えば受信電力）の時間変動を検出することにより、電力遅延プロファイルを生成する。送信電波Ｓ１に対する受信電波Ｓ２の遅延時間は、監視装置４の設置箇所と反射波の発生源との距離に比例して大きくなる。従って、設定した注目エリアと監視装置４の設置箇所との距離に応じて遅延時間を求め、各遅延時間に対応する電力遅延プロファイルを生成することにより、その注目エリアに関して信号強度の時間変動を検出することができる。
【００２９】
図１の（Ａ）に示した例では、監視装置４の設置箇所と被監視者１００の胸部との距離が距離Ｌ１である。従って、監視装置４の設置箇所との距離が距離Ｌ１である注目エリアＸ１を設定する。また、図１の（Ｂ）に示した例では、監視装置４の設置箇所と被監視者１００の胸部との距離が距離Ｌ２である。従って、監視装置４の設置箇所との距離が距離Ｌ２である注目エリアＸ２を設定する。
【００３０】
設定した注目エリアＸ１，Ｘ２に関する信号強度の時間変動を表す波形は、信号Ｓ４として検出部１２から状態判定部１３に入力される。
【００３１】
また、信号強度に関するしきい値が注目エリアＸ１，Ｘ２ごとに予め設定されて、記憶部１６に記憶されている。しきい値としては、呼吸動作（胸部の往復運動）に対応する比較的小さな値のしきい値と、ベッド１上での起き上がり等の全身動作に対応する比較的大きな値のしきい値とが、注目エリアＸ１，Ｘ２ごとに設定されている。以下の例では、呼吸動作に対応するしきい値として、各注目エリアＸ１，Ｘ２に関してしきい値ＴＨ１１，ＴＨ２１（ＴＨ１１＞ＴＨ２１）がそれぞれ設定されており、全身動作に対応するしきい
値として、各注目エリアＸ１，Ｘ２に関してしきい値ＴＨ１２，ＴＨ２２（ＴＨ１２＞ＴＨ２２）がそれぞれ設定されているものとする。しきい値の設定情報は、信号Ｓ５として記憶部１６から状態判定部１３に入力される。
【００３２】
状態判定部１３は、信号Ｓ４と信号Ｓ５とに基づいて、ベッド１上での被監視者１００の状態を判定する。
【００３３】
図３の（Ａ）は、注目エリアＸ１に関する信号強度の時間変動を表す波形の一例を示す図である。縦軸は信号強度（以下の例では受信電力とする）であり、横軸は経過時間である。受信電力は、時刻Ｔ１１以前においてはしきい値ＴＨ１１以上かつしきい値ＴＨ１２未満であり、時刻Ｔ１１以降においてはしきい値ＴＨ１２以上である。また、図３の（Ｂ）は、注目エリアＸ２に関する信号強度の時間変動を表す波形の一例を示す図である。受信電力は、時刻Ｔ１１以前においてはしきい値ＴＨ２１以上かつしきい値ＴＨ２２未満であり、時刻Ｔ１１以降においてはしきい値ＴＨ２２以上である。図３の（Ａ），（Ｂ）の場合、状態判定部１３は、時刻Ｔ１１以前には被監視者１００がベッド１上で睡眠をとっており、時刻Ｔ１１において被監視者１００が起床したと判定する。
【００３４】
図４の（Ａ）は、注目エリアＸ１に関する信号強度の時間変動を表す波形の一例を示す図である。受信電力は、時刻Ｔ２１以前においてはしきい値ＴＨ１１以上かつしきい値ＴＨ１２未満であり、時刻Ｔ２１以降においてはしきい値ＴＨ１１未満である。また、図４の（Ｂ）は、注目エリアＸ２に関する信号強度の時間変動を表す波形の一例を示す図である。受信電力は、時刻Ｔ２１以前においてはしきい値ＴＨ２１以上かつしきい値ＴＨ２２未満であり、時刻Ｔ２１以降においてはしきい値ＴＨ２１未満である。図４の（Ａ），（Ｂ）の場合、状態判定部１３は、時刻Ｔ２１以前には被監視者１００がベッド１上で睡眠をとっており、時刻Ｔ２１において被監視者１００の呼吸動作が停止した（つまり、全身動作も呼吸動作も行っていない無動作状態である）と判定する。
【００３５】
なお、状態判定部１３は、受信電力としきい値との比較ではなく、検出された受信電力の波形パターンと予め準備しておいた様々な波形パターンとの照合（パターンマッチング）によって、被監視者１００の状態及び／又は動作を判定することもできる。例えば、呼吸動作、ベッド３上での睡眠状態、及び無動作状態のほか、ベッド３への入床動作、ベッド３からの離床動作、ベッド３上での寝返り動作、咳、あくび、発声等に関する波形パターンを予め作成し、記憶部１６に記憶しておく。そして、状態判定部１３は、検出部１２から入力された受信電力の波形パターンと、記憶部１６に記憶されている波形パターンとを照合することにより、被監視者１００の状態及び／又は動作を判定する。パターンマッチングを行うことによって、被監視者１００の状態及び／又は動作を詳細に判定することが可能となる。
【００３６】
状態判定部１３によって判定された、ベッド１上の被監視者１００の状態に関する情報は、信号Ｓ６として異常判定部１４に入力される。
【００３７】
また、被監視者１００の状態が異常であるか否かを判定するための異常判定ルールが予め作成されて、記憶部１７に記憶されている。例えば、ベッド１上に横臥している被監視者１００が呼吸動作を行っていない状態や、ベッド１上で長時間に亘って継続される激しい全身動作等は、異常であると規定されている。この異常判定ルールに関する情報は、信号Ｓ７として記憶部１７から異常判定部１４に入力される。
【００３８】
異常判定部１４は、信号Ｓ６と信号Ｓ７とに基づいて、ベッド１上の被監視者１００の状態が異常であるか否かを判定する。例えば、図３に示した睡眠状態及び起床動作は、いずれも異常でないと判定する。また、図４に示した睡眠状態は異常でないと判定し、無動
作状態は異常であると判定する。
【００３９】
異常判定部１４は、被監視者１００の状態が異常であると判定した場合には、その旨の信号Ｓ８を報知部１５に入力する。報知部１５は、例えば監視装置４に内蔵されているスピーカであり、信号Ｓ８が入力されることにより、異常の発生を報知するためのアラーム音や音声メッセージ等をスピーカから出力する。
【００４０】
図５は、監視装置４の他の機能構成を示すブロック図である。監視装置４と外部の受信端末１９とによって、異常通知システムが構成されている。図５に示した監視装置４は、図２に示した機能構成における報知部１５に代えて（あるいは報知部１５に加えて）、通信部１８を備えている。異常判定部１４は、被監視者１００の状態が異常であると判定した場合には、その旨の信号Ｓ８を通信部１８に入力する。通信部１８は、信号Ｓ８が入力されることにより、異常の発生を通知するための異常通知信号Ｓ９を受信端末１９に向けて送信する。受信端末１９は、例えば、同居又は別居の家族の携帯電話や、契約セキュリティ会社に設置されている端末であり、送信先の電話番号やＥ−ｍａｉｌアドレス等が予め通信部１８に登録されている。また、当該異常通知システムは病院内に構築することも可能であり、この場合の受信端末１９は、例えばナースセンタに設置されている端末である。
【００４１】
なお、以上の説明では、監視装置４をベッドに１に取り付ける例について述べた。つまり、被監視者の身体（特に背面）を支える機能を有する家具である身体支持装置が、ベッドである場合の例について述べた。この例に限らず、監視装置４を、他の身体支持装置、例えばリクライニングチェア等の椅子に取り付けることも可能である。この場合、監視装置４は、椅子の背もたれの裏面のうち、被監視者１００が椅子上に着座した際に被監視者１００の胸部背面に対向する箇所に取り付けられる。
【００４２】
このように本実施の形態に係る監視装置４によれば、検出部１２は、送信部１０から送信された送信電波Ｓ１に対する、受信部１１によって受信された受信電波Ｓ２の遅延時間ごとに、受信電波Ｓ２の信号強度の時間変動を検出する。そして、状態判定部１３は、検出部１２による検出結果に基づいて、被監視者１００の状態を判定する。このように、非接触かつ高精度に検出及び状態判定を行えることから、ベッドパットの下面や椅子の背もたれへの感圧センサの敷設が不要となるため、寝心地や座り心地の悪化を回避することが可能となる。また、監視装置４は既存のベッドや椅子への後付けが可能であるため、導入コストを低減できるとともに、導入作業の煩雑さを解消することができる。また、監視カメラを用いないため、被監視者１００のプライバシーを保護することができる。さらに、被監視者１００に対して非接触かつ無拘束で異常の発生を監視できるため、被監視者１００における精神的・肉体的負荷を回避することが可能となる。また、部屋の壁面に監視装置４を設置する場合とは異なり、ベッド１や椅子の配置を変更しても、被監視者１００と監視装置４との距離は変化しないため、測定時のチューニング作業が容易となる。
【００４３】
また、本実施の形態に係る監視装置４によれば、状態判定部１３は、被監視者１００の状態として、睡眠状態及び無動作状態の少なくとも一方を判定する。ベッド１上での睡眠状態を検知することにより、睡眠時間の管理や、睡眠中の異常発生の検出を行うことができる。ベッド１上での無動作状態（無呼吸状態を含む）を検知することにより、重大な異常の発生を検出することができる。
【００４４】
また、本実施の形態に係る監視装置４によれば、状態判定部１３は、検出部１２によって検出された受信電波Ｓ２の信号強度と、遅延時間ごとに設定された所定のしきい値との比較により、被監視者１００の状態を判定する。従って、しきい値との比較という簡易な手法によって、被監視者１００の状態を判定することが可能となる。しかも、しきい値は
遅延時間ごとに設定されている。遅延時間が小さい場合には、監視装置４の設置場所との距離が近く、被監視者１００の動きに起因する受信電波Ｓ２の信号強度の変動が大きいため、しきい値を大きく設定し、逆に、遅延時間が大きい場合には、監視装置４の設置場所との距離が遠く、被監視者１００の動きに起因する受信電波Ｓ２の信号強度の変動が小さいため、しきい値を小さく設定する。これにより、ベッド本体２の厚みやマットレス３の厚みが異なる様々なベッド１を対象として、あるいは背もたれの厚みが異なる様々な椅子を対象として、被監視者１００の状態を適切に判定することが可能となる。
【００４５】
また、本実施の形態に係る監視装置４によれば、異常判定部１４は、状態判定部１３によって判定された被監視者１００の状態が異常であるか否かを判定する。そして、報知部１５は、異常判定部１４によって被監視者１００の状態が異常であると判定された場合に、異常の発生を報知する。スピーカからアラーム音を出力する等して異常の発生を報知することにより、被監視者１００に異常が発生していることを同居の家族等に報知することが可能となる。
【００４６】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００４７】
１  ベッド
２  ベッド本体
３  マットレス
４  監視装置
５Ｔ  送信アンテナ
５Ｒ  受信アンテナ
１０  送信部
１１  受信部
１２  検出部
１３  状態判定部
１４  異常判定部
１５  報知部
１６，１７  記憶部
１８  通信部
１９  受信端末
１００  被監視者
【図１】
2011110068.tif 000003
【図２】
2011110068.tif 000004
【図３】
2011110068.tif 000005
【図４】
2011110068.tif 000006
【図５】
2011110068.tif 000007